(57)【特許請求の範囲】
【請求項１】
容器本体と、この容器本体を開閉する外蓋と、容器本体内を隔壁によって２つの収納部に隔成し、一方の収納部を開閉する内蓋と、外蓋から突設されて前記容器本体に係脱される第１フックと、内蓋から突設されて前記容器本体に係脱される第２フックとを備え、これら第１フックと第２フックの係合を解除するためのプッシュピースを容器本体に移動可能に配置し、このプッシュピースに容器本体の前端部から突出する操作部と、前記第１フックおよび前記第２フックの係合をそれぞれ解除する第１解除部および第２解除部とを設けたことを特徴とする化粧料容器。
【請求項２】
容器本体と、この容器本体を開閉する外蓋と、容器本体内を隔壁によって２つの収納部に隔成し、一方の収納部内に脱着自在に収納される中皿と、この中皿を開閉する内蓋と、外蓋から突設されて前記容器本体に係脱される第１フックと、内蓋から突設されて前記中皿に係脱される第２フックとを備え、これら第１フックと第２フックの係合を解除するためのプッシュピースを容器本体に移動可能に配置し、このプッシュピースに容器本体の前端部から突出する操作部と、前記第１フックおよび前記第２フックの係合をそれぞれ解除する第１解除部および第２解除部とを設けたことを特徴とする化粧料容器。
【発明の詳細な説明】
【０００１】
【発明の属する技術分野】
本発明は、携帯容易に化粧料を収納する化粧料容器に関する。
【０００２】
【従来の技術】
一般に、化粧料の携帯用に化粧料容器が用いられるが、この化粧料容器は容器本体内に化粧料を収納すると共に、容器本体の後端部に開閉自在に蝶着される外蓋で容器本体上側を全体的に覆うようになっている。そして、容器本体と外蓋との前端部間に設けられるフック機構で外蓋の閉止状態が保持され、かつ、このフック機構を解除するための操作ボタンが容器本体の前端部から突出されるのが一般的な構造となっている。
【０００３】
ところで、この種の化粧料容器としては実開昭５８−４００３号公報に開示されるように、容器本体の収納部内に脱着可能な中皿を収納するようにしたものがある。即ち、前記中皿は皿状の容器に内蓋がヒンジ結合されることにより構成され、容器本体の外蓋が閉位置にあるときに、内蓋が外蓋で押圧されて、内蓋の閉止状態が保持されるようになっている。従って、前記中皿は内蓋と外蓋との二重構造をもって閉止されるようになっているため、中皿内の化粧料が外方に漏れるのを確実に防止できるようになっている。
【０００４】
【発明が解決しようとする課題】
しかしながら、かかる従来の化粧料容器にあっては、中皿内の化粧料を使用する際に、まず容器本体の外蓋を開いた後に、この中皿の内蓋を開くという二度手間となり、従って、蓋体の開動時の操作性が不便であるという課題があった。
【０００５】
そこで、本発明はかかる従来の課題に鑑みて、外蓋と内蓋とを一度の操作で開けられるようにして、二重構造となった蓋体の開動操作性を容易化することができる化粧料容器を提供することを目的とする。
【０００６】
【課題を解決するための手段】
かかる目的を達成するために請求項１の発明は、容器本体と、この容器本体を開閉する外蓋と、容器本体内を隔壁によって２つの収納部に隔成し、一方の収納部を開閉する内蓋と、外蓋から突設されて前記容器本体に係脱される第１フックと、内蓋から突設されて前記容器本体に係脱される第２フックとを備え、これら第１フックと第２フックの係合を解除するためのプッシュピースを容器本体に移動可能に配置し、このプッシュピースに容器本体の前端部から突出する操作部と、前記第１フックおよび前記第２フックの係合をそれぞれ解除する第１解除部および第２解除部とを設ける構成とする。
【０００７】
また、請求項２の発明は、容器本体と、この容器本体を開閉する外蓋と、容器本体内を隔壁によって２つの収納部に隔成し、一方の収納部内に脱着自在に収納される中皿と、この中皿を開閉する内蓋と、外蓋から突設されて前記容器本体に係脱される第１フックと、内蓋から突設されて前記中皿に係脱される第２フックとを備え、これら第１フックと第２フックの係合を解除するためのプッシュピースを容器本体に移動可能に配置し、このプッシュピースに容器本体の前端部から突出する操作部と、前記第１フックおよび前記第２フックの係合をそれぞれ解除する第１解除部および第２解除部とを設ける構成とする。
【０００８】
かかる構成により請求項１に係る化粧料容器は、容器本体を開閉する外蓋および容器本体内の一方の収納部を開閉する内蓋が共に閉止された状態でプッシュピースの操作部を押込むことにより、第１解除部および第２解除部が移動して第１フックの係合を解除すると共に、第２フックの係合を解除する。このように第１，第２フックが係合解除されることにより、外蓋および内蓋双方を開けることができる。従って、前記外蓋および前記内蓋はプッシュピースの一度の押込み操作で一挙に開動させることができるため、二重構造となった蓋体の開動操作が著しく簡単化される。
【０００９】
また請求項２に係る化粧料容器では、容器本体を開閉する外蓋と、容器本体内の一方の収納部に別途着脱自在に収納される中皿を開閉する内蓋とが共に閉止された状態でプッシュピースの操作部を押込むことにより、上記請求項１の発明と同様に第１解除部および第２解除部が移動して第１フックの係合を解除すると共に、第２フックの係合を解除する。このように第１，第２フックが係合解除されることにより、容器本体の外蓋と中皿の内蓋の双方を開けることができる。殊に、容器本体の外蓋とこの容器本体に脱着式に収納される別体の中皿の内蓋とがプッシュピースの一度の押込み操作で一挙に開動されるようになっているため、レフィル容器のような脱着式の中皿を備えた化粧料容器においてその開動操作が著しく簡単化される。
【００１０】
【発明の実施の形態】
以下、本発明の実施例を添付図面を参照して詳細に説明する。図１から図４は本発明の化粧料容器の一実施例を示し、図１は外蓋および内蓋を開いてプッシュピースを取出した状態の分解斜視図、図２は外蓋を閉じた状態の図１中Ａ−Ａ線に対応する断面図、図３は外蓋を閉じた状態の図１中Ｂ−Ｂ線に対応する断面図、図４はプッシュピースの押込み状態を示す図３に対応する断面図である。
【００１１】
即ち、本実施例の化粧料容器１０は図１に示すように、容器本体１２と、この容器本体１２の後方端部に第１蝶番１４を介して蝶着される外蓋１６とを備える。前記容器本体１２は側壁１２ａと底面１２ｂとを備えた皿状を成しており、この容器本体１２の内側は左右方向略中央に前後方向を指向して配置される仕切り壁１２ｃによって２つの収納部に隔成され、この仕切り壁１２ｃの左側の収納部を化粧料が収納される化粧皿１８とし、右側の収納部をパフ等の小物入れ２０として構成してある。
【００１２】
前記第１蝶番１４は、容器本体１２の後端部中央に形成される凹部１４ａに、外蓋１６の後端部中央に形成される凸部１４ｂが嵌合され、これら凹部１４ａと凸部１４ｂとに跨がって両側から蝶番ピン１４ｃ（図３参照）が挿入されることにより構成される。また、前記外蓋１６には先端部中央から第１フック２２が突設され、この第１フック２２は外蓋１６の閉じ状態で、前記仕切り壁１２ｃが指向する容器本体１２の前端中央部に設けた第１凸部１２ｄに係脱可能に係合され、この係合状態で外蓋１６の閉止状態が保持される。尚、前記第１凸部１２ｄは側壁１２ａの凹設部１２ｅに設けられる。また、前記外蓋１６の裏面１６ａに形成された凹部１６ｂにバニティミラー２４が嵌合固定される。
【００１３】
前記化粧皿１８は内蓋２６によって開閉自在に閉止されるようになっている。前記内蓋２６は容器本体１２の左端側の側壁１２ａ上面に第２蝶番２８を介して蝶着されると共に、この内蓋２６の先端部中央に第２フック３０が突設される。また、前記仕切り壁１２ｃの略中央部に前記第２フック３０が挿入される凹部１３が形成され、この凹部１３の化粧皿１８側内壁に設けた第２凸部１２ｆに前記第２フック３０が係合されることにより、内蓋２６の閉止状態が保持される。
【００１４】
一方、前記仕切り壁１２ｃの底部には、前記第１凸部１２ｄの下方から前記第２凸部１２ｆの下方に亘って通孔部１２ｇが連続して形成され、この通孔部１２ｇにプッシュピース３２が挿入される。プッシュピース３２は図２に示すように前記通孔部１２ｇ内に移動可能に挿入されるスライドバー３２ａを備え、このスライドバー３２ａの前端部に操作部３２ｂを設けると共に、この操作部３２ｂの後側に前記第１フック２２の係合状態を解除する第１解除部３２ｃを設け、かつ、前記スライドバー３２ａの後端部上側に前記第２フック３０の係合状態を解除する第２解除部３２ｄを突設することによって構成される。
【００１５】
前記第１，第２解除部３２ｃ，３２ｄは図３に示すように後方に向かって下方に傾斜し、これら第１，第２解除部３２ｃ，３２ｄが、係合状態にある前記第１，第２フック２２，３０の下端にそれぞれ当接される。このとき、第１解除部３２ｃが第２解除部３２ｄよりも先に対応する第１フック２２に当接するように構成するとともに、かつ前記第１，第２解除部３２ｃ，３２ｄの傾斜角度をそれぞれ異ならせ、第１解除部３２ｃの傾斜角を第２解除部３２ｄより大きくすることにより、プッシュピース３２の押込みによって第１フック２２の持上げ量を第２フック３０より大きくなるように設定してある。尚、前記プッシュピース３２の前記操作部３２ｂは、第１，第２解除部３２ｃ，３２ｄが第１，第２フック２２，３０下端に当接している状態で、容器本体１２の前端部に、外方に面して配置される。
【００１６】
以上の構成により本実施例の化粧料容器１０にあっては、図３に示すように外蓋１６および内蓋２６が閉止された状態では、第１フック２２が第１凸部１２ｄに係合されると共に、第２フック３０が第２凸部１２ｆに係合されている。
【００１７】
そして、化粧料容器１０を使用するに際して閉止状態にある前記外蓋１６および前記内蓋２６を開ける場合には、容器本体１２の前端部中央に位置するプッシュピース３２の操作部３２ｂを押込む。すると、第１，第２解除部３２ｃ，３２ｄは操作部３２ｂに伴って押込まれ、それぞれの傾斜部分で第１，第２フック２２，３０を上方に持上げる。このとき、第１解除部３２ｃが第２解除部３２ｄよりも先に対応する第１フック２２に当接するとともに、また第１解除部３２ｃの傾斜角が第２解除部３２ｄより大きく形成されているので、プッシュピース３２の所定の押込み量に対して、第１解除部３２ｃによる第１フック２２の持上げ量が第２解除部３２ｄによる第２フック３０の持上げ量より大きくなる。このため、プッシュピース３２の押込みよって、まず第１フック２２と第１凸部１２ｄとの係合が解除され、第１解除部３２ｃの傾斜部分で外蓋１６が若干開かれる。そして、プッシュピース３２が更に押込まれると、第２解除部３２ｄによって第２フック３０と第２凸部１２ｆとの係合が解除され、第２解除部３２ｄの傾斜部分で内蓋２６が若干開かれる。そして、若干開かれた外蓋１６および内蓋２６を図１に示したように手動で開けることができ、化粧皿１８に収納された化粧料の使用が可能となる。
【００１８】
従って、本実施例では外蓋１６および中蓋２６が設けられた化粧料容器１０にあっても、これら外蓋１６および中蓋２６を開動するに単一のプッシュピース３２の一度の押込みによって、これら両蓋１６，２６を順次開けることができるため、二重構造となった蓋体の開動操作性が著しく向上される。
【００１９】
図５から図７は他の実施例を示し、前記実施例と同一構成部分に同一符号を付して重複する説明を省略して述べる。尚、図５は図３に対応する断面図、図６は図４に対応する断面図、図７はプッシュピースの一部を破断した斜視図である。即ち、この実施例では図７に示すようにプッシュピース３２の操作部３２ｂの後側に形成される第１解除部３２ｃおよびスライドバー３２ａの後端部に形成される第２解除部３２ｄを、後方に向かって斜め上方に延びる屈曲可能な突起部として構成する。そして、図５に示すように外蓋１６および内蓋２６の閉止状態で、第１解除部３２ｃの先端部を第１フック２２の下端に当接すると共に、第２解除部３２ｄの先端部を第２フック３０の下端に当接する。尚、前記第１解除部３２ｃの先端は第１凸部１２ｄを形成した凹設部１２ｅの正面壁に、この第１凸部１２ｄの下方に適宜間隔をもって当接されると共に、前記第２解除部３２ｄの下側が通孔部１２ｇの終端に形成された段部１２ｈの角部に当接されている。
【００２０】
従って、この実施例の化粧料容器１０では、図５に示す外蓋１６および内蓋２６の閉止状態から、図６に示すようにプッシュピース３２の操作部３２ｂを押込むことにより、凹設部１２ｅの正面壁に当接されている第１解除部３２ｃは、この正面壁を上方に滑りつつ徐々に起立すると共に、第２解除部３２ｄは段部１２ｈの角部に規制されて徐々に起立する。そして、これら第１解除部３２ｃおよび第２解除部３２ｄの起立によって、第１，第２フック２２，３０の係合が解除される。尚、この実施例にあってもプッシュピース３２の一定の押込み量に対して、第１解除部３２ｃの起立量が第２解除部３２ｄより大きく設定され、また、第１フック２２と第１凸部１２ｄとの係合が解除された後、第２フック３０と第２凸部１２ｆとの係合が解除される。
【００２１】
図８から図１０は他の実施例を示し、前記実施例と同一構成部分に同一符号を付して重複する説明を省略して述べる。尚、図８は図３に対応する断面図、図９は図４に対応する断面図、図１０はプッシュピースの一部を破断した斜視図である。
【００２２】
即ち、この実施例では図１０に示すようにプッシュピース３２の操作部３２ｂの上端部を後方に向かってＬ字状に折曲し、この折曲した先端部分を第１解除部３２ｃとして用いる。そして、前記操作部３２ｂの上端部をピン３４を介して容器本体１２に回動可能に取付け、この操作部３２ｂの押込みにより第１解除部３２ｃの先端部が上方に回動して、第１フック２２の付け根部分を上方に押上げるようになっている。尚、第２解除部３２ｄは図１に示す実施例と同様に傾斜した突起部として形成される。
【００２３】
従って、この実施例では図８に示す外蓋１６および内蓋２６の閉止状態から図９に示すように操作部３２ｂを押込むと、第１解除部３２ｃがピン３４を中心に上方に回動して、第１フック２２と第１凸部１２ｄとの係合が解除されると共に、第２解除部３２ｄの傾斜面で第２フック３０を押上げて、この第２フック３０と第２凸部１２ｆとの係合が解除される。また、この実施例にあっても第１フック２２は第２フック３０に先んじて係合解除されるように設定される。
【００２４】
図１１から図１３は他の実施例を示し、前記実施例と同一構成部分に同一符号を付して重複する説明を省略して述べる。尚、図１１は図３に対応する断面図、図１２は図４に対応する断面図、図１３はプッシュピースの斜視図である。
【００２５】
即ち、この実施例では図１３に示すようにプッシュピース３２の第１，第２解除部３２ｃ，３２ｄを、第１，第２フック２２，３０に係合可能な第１，第２鉤部として構成する。尚、この実施例では第２フック３０の係合部が後方に向かって配置される。そして、外蓋１６および内蓋２６の閉止状態では、第１，第２フック２２，３０が前記第１，第２解除部３２ｃ，３２ｄに係合された状態が保持される。また、この実施例では前記プッシュピース３２のスライドバー３２ａの後端部に、後方に向かって円弧状に湾曲される板ばね３６を形成し、この板ばね３６の両端を容器本体１２に当接しておくことにより、プッシュピース３２に復帰方向の付勢力を付加するようになっている。
【００２６】
従って、この実施例では図１１に示す外蓋１６および内蓋２６の閉止状態から図１２に示すように操作部３２ｂを押込むと、第１解除部３２ｃおよび第２解除部３２ｄが後方移動して、これらと第１フック２２および第２フック３０との係合が解除される。尚、この実施例では前記第１，第２フック２２，３０の係合解除時点で内・外蓋１６，２６を上方に押上げる力が作用しないため、これら第１，第２フック２２，３０の係合解除を同時に行い、その後に外蓋１６および内蓋２６を手動で開ければ良い。
【００２７】
図１４および図１５は容器本体内にレフィル容器を着脱自在に収納するようにした場合の実施例を示し、前記実施例と同一構成部分に同一符号を付して重複する説明を省略して述べる。尚、図１４は図１に対応する分解斜視図、図１５は外蓋を閉じた状態の図１４中Ｃ−Ｃ線に対応する断面図である。
【００２８】
即ち、本実施例の化粧料容器１０にあっては、容器本体１２は側壁１２ａと底面１２ｂとを備えた皿状を成しており、この容器本体１２の内側は左右方向略中央に前後方向を指向して配置される仕切り壁１２ｃによって２つの収納部に隔成され、この仕切り壁１２ｃの左側が化粧料を収納するレフィル容器３８の脱着収納部４０とされ、右側がパフ等の化粧具収納部２０として構成される。また、容器本体１２の左端側の側壁１２ａの略中央部には、上面に開口する切欠部４２が形成されている。さらに、仕切り壁１２ｃの略中央部には、切欠部４４が形成されている。
【００２９】
外蓋１６には先端部中央から第１フック２２が突設され、この第１フック２２は外蓋１６の閉じ状態で、前記仕切り壁１２ｃが指向する容器本体１２の前端中央部に設けた第１凸部１２ｄに係脱可能に係合され、この係合状態で外蓋１６の閉止状態が保持される。
【００３０】
前記レフィル容器３８は取換え用の容器として用いられ、化粧料が充填される中皿としての皿部本体４６と、この皿部本体４６の上面を閉止する内蓋４８とを備え、前記内蓋４８は一端部が第２蝶番５０を介して皿部本体４６に開閉可能に蝶着されるようになっている。前記第２蝶番５０は、内蓋４８の端部中央から突設される凸部５０ａが、皿部本体４６から突設される支持部５０ｂに嵌合され、これら凸部５０ａと支持部５０ｂとに跨がって蝶番ピン５０ｃが挿入されることにより構成される。また、前記内蓋４８の閉じ状態では、図１５に示すように内蓋４８の開放端部中央から垂設される第２フック５２が、皿部本体４６に設けられる第２凸部５４に係脱可能に係合されるようになっている。
【００３１】
前記レフィル容器３８は前記容器本体１２の脱着収納部４０に脱着可能に嵌合されるが、このとき、容器本体１２の左端側の側壁１２ａに形成された切欠部４２に前記レフィル容器３８の第２蝶番５０が嵌合されると共に、前記仕切り壁１２ｃに形成された切欠部４４は、前記内蓋４８の第２フック５２を収容するための空隙となっている。また、前記皿部本体４６の左右両側壁外面に形成された係合凹部５６が、前記脱着収納部４０を区画する側壁１２ａ内面と仕切り壁１２ｃとに形成された係合凸部５８に係合されることにより、脱着収納部４０に嵌合されたレフィル容器３８の脱落が防止されるようになっている。
【００３２】
ここで、本実施例では前記脱着収納部４０の底面全体をくり抜いて大きな開口部６０を形成してある。前記開口部６０は前記皿部本体４６の外側形状より若干小さく形成され、この開口部６０の内周面が皿部本体４６の底部４６ａ周縁部の面取り形状に沿ってすり鉢状に形成される。そして、前記レフィル容器３８を脱着収納部４０に嵌合した際に、図１５に示すように皿部本体４６の底部４６ａ周縁部を開口部６０の内周面に係止して臨ませ、この底部４６ａの下面と容器本体１２の下面とが略面一となるようにしている。
【００３３】
一方、前記仕切り壁１２ｃの底部には、前記第１凸部１２ｄの下方から切欠部４４の下方に亘って通路部１２ｊが連続して形成され、この通路部１２ｊにプッシュピース３２が挿入される。
【００３４】
この実施例では図７と同様なプッシュピース３２が用いられていて、プッシュピース３２の操作部３２ｂの後側に形成される第１解除部３２ｃおよびスライドバー３２ａの後端部に形成される第２解除部３２ｄは、後方に向かって斜め上方に延びる屈曲可能な突起部として構成されている。そして、容器本体１２に係合した外蓋１６およびレフィル容器３８の皿部本体４６に係合した内蓋４８の閉止状態で、第１解除部３２ｃの先端部を外蓋１６の第１フック２２の下端に当接させると共に、第２解除部３２ｄの先端部を内蓋４８の第２フック５２の下端に当接させる。尚、前記第１解除部３２ｃの先端は第１凸部１２ｄを形成した凹設部１２ｅの正面壁に、この第１凸部１２ｄの下方に適宜間隔をもって当接されると共に、前記第２解除部３２ｄの下側が通路部１２ｊの終端に形成された段部１２ｈの角部に当接されている。
【００３５】
以上の構成により本実施例の化粧料容器１０にあっては、図１５に示すように外蓋１６および内蓋４８が閉止された状態では、第１フック２２が第１凸部１２ｄに係合されると共に、第２フック５２が第２凸部５４に係合されている。
【００３６】
そして、化粧料容器１０を使用するに際して閉止状態にある前記外蓋１６およびレフィル容器３８の前記内蓋４８を開ける場合には、容器本体１２の前端部中央に位置するプッシュピース３２の操作部３２ｂを押込む。すると、凹設部１２ｅの正面壁に当接されている第１解除部３２ｃは、この正面壁を上方に滑りつつ徐々に起立すると共に、第２解除部３２ｄは段部１２ｈの角部に規制されて徐々に起立する。そして、これら第１解除部３２ｃおよび第２解除部３２ｄの起立によって、第１フック２２と第１凸部１２ｄとの係合が解除された後、第２フック５２と第２凸部５４との係合が解除される。そして、若干開かれた外蓋１６および内蓋４８は手動で開けることができて、レフィル容器３８に収納されている化粧料の使用が可能となる。
【００３７】
従って、本実施例では容器本体１２を開閉する外蓋１６とこの容器本体１２内に脱着式に収納される別途独立したレフィル容器３８の内蓋４８とが備えられる化粧料容器１０にあっても、これら外蓋１６および内蓋４８を開動するのに単一のプッシュピース３２の一度の押込みによって、これら両蓋１６，４８を順次開けることができるため、レフィル容器３８のような脱着式の中皿を備えた化粧料容器１０においてもその開動操作を著しく簡単化することができる。
【００３８】
ところで、本実施例の化粧料容器１０にあっては容器本体１２内にレフィル容器３８を収納した際に、上述したようにこのレフィル容器３８の皿部本体４６の底部４６ａが容器本体１２の開口部６０内に嵌合されるため、これら皿部本体４６と容器本体１２とが重なり合うことを構造上防止することができる。従って、前記容器本体１２内にレフィル容器３８を収納したにもかかわらず、この容器本体１２の全体の厚みが厚くなるのを防止でき、ひいては、化粧料容器１０を薄肉化することができる。
【００３９】
また、レフィル容器３８が容器本体１２の脱着収納部４０に対して着脱自在となっているため、レフィル容器３８を複数用意して、それぞれに異なる色の化粧料を充填しておくことにより、その日の化粧に応じた化粧料のレフィル容器３８を選んで化粧料容器１０にセットしておくことができる。
【００４０】
ところで、前記各実施例では第１，第２解除部３２ｃ，３２ｄの形態を各種開示したが、これら第１，第２解除部３２ｃ，３２ｄは第１，第２フック２２，３０，５２を係合解除するための一例にすぎず、前記各実施例以外の構造を用いることができることは勿論のこと、また、各実施例に用いた前記第１，第２解除部３２ｃ，３２ｄを任意に組合わせても良い。
【００４１】
【発明の効果】
以上説明したように請求項１に係る化粧料容器にあっては、容器本体を開閉する外蓋および容器本体内の一方の収納部を開閉する内蓋が共に閉止された状態でプッシュピースの操作部を押込むことにより、第１解除部および第２解除部を移動させて第１，第２フックの係合を解除することができ、外蓋および内蓋双方をプッシュピースの一度の押込み操作で一挙に開動させることができて、二重構造となった蓋体の開動操作を著しく簡単化することができる。
【００４２】
また請求項２に係る化粧料容器にあっては、容器本体を開閉する外蓋と、容器本体内の一方の収納部に別途着脱自在に収納される中皿を開閉する内蓋とが共に閉止された状態でプッシュピースの操作部を押込むことにより、第１解除部および第２解除部を移動させて第１，第２フックの係合を解除することができ、殊に、容器本体の外蓋とこの容器本体に脱着式に収納される別体の中皿の内蓋とをプッシュピースの一度の押込み操作で一挙に開動させることができて、レフィル容器のような脱着式の中皿を備えた化粧料容器においてその開動操作を著しく簡単化することができるという優れた効果を奏する。
【図面の簡単な説明】
【図１】本発明の一実施例を示す外蓋および内蓋を開いてプッシュピースを取出した状態の分解斜視図である。
【図２】本発明の一実施例を示す外蓋を閉じた状態の図１中Ａ−Ａ線に対応する断面図である。
【図３】本発明の一実施例を示す外蓋を閉じた状態の図１中Ｂ−Ｂ線に対応する断面図である。
【図４】本発明の一実施例を示すプッシュピースの押込み状態の図３に対応する断面図である。
【図５】本発明の他の実施例を示す図３に対応する断面図である。
【図６】本発明の他の実施例を示す図４に対応する断面図である。
【図７】本発明の他の実施例を示すプッシュピースの一部を破断した斜視図である。
【図８】本発明の他の実施例を示す図３に対応する断面図である。
【図９】本発明の他の実施例を示す図４に対応する断面図である。
【図１０】本発明の他の実施例を示すプッシュピースの一部を破断した斜視図である。
【図１１】本発明の他の実施例を示す図３に対応する断面図である。
【図１２】本発明の他の実施例を示す図４に対応する断面図である。
【図１３】本発明の他の実施例を示すプッシュピースの斜視図である。
【図１４】本発明の他の実施例を示す外蓋を開いてプッシュピースを取出した状態の分解斜視図である。
【図１５】本発明の他の実施例を示す外蓋を閉じた状態の図１４中Ｃ−Ｃ線に対応する断面図である。
【符号の説明】
１０  化粧料容器
１２  容器本体
１４  第１蝶番
１６  外蓋
２２  第１フック
２６，  ４８  内蓋
２８，  ５０  第２蝶番
３０，  ５２  第２フック
３２  プッシュピース
３２ｂ  操作部
３２ｃ  第１解除部
３２ｄ  第２解除部
【図１】
0003579175.tif 000002
【図２】
0003579175.tif 000003
【図３】
0003579175.tif 000004
【図４】
0003579175.tif 000005
【図５】
0003579175.tif 000006
【図６】
0003579175.tif 000007
【図７】
0003579175.tif 000008
【図８】
0003579175.tif 000009
【図９】
0003579175.tif 000010
【図１０】
0003579175.tif 000011
【図１１】
0003579175.tif 000012
【図１２】
0003579175.tif 000013
【図１３】
0003579175.tif 000014
【図１４】
0003579175.tif 000015
【図１５】
0003579175.tif 000016